【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
画像データから色版別の網点画像データを生成し、該網点画像データに基づいて網点画像を出力する画像出力システムであって、
前記画像データにＲＩＰ処理が施されていない場合には、前記各画像データにＲＩＰ処理を施して色版別のラスター画像データを生成するラスター画像生成手段と、
マトリックス状に所定の閾値データが配される色版別の網点基準データを記憶する網点基準データ記憶手段と、
前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する網点化処理手段と、
前記色版別の網点画像データに基づき、網点画像を出力する画像出力手段と、
を備え、
前記網点化処理手段は、
前記濃度値データが前記画素群をハイライト部分に規定している場合、第一の方向においてのみ周囲の網点と接合する方向に伸長する形状の網点を生成すること、
を特徴とする画像出力システム。
【請求項２】
画像データから色版別の網点画像データを生成し、該網点画像データに基づいて網点画像を出力する画像出力システムであって、
前記画像データにＲＩＰ処理が施されていない場合には、前記各画像データにＲＩＰ処理を施して色版別のラスター画像データを生成するラスター画像生成手段と、
マトリックス状に所定の閾値データが配される色版別の網点基準データを記憶する網点基準データ記憶手段と、
前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する網点化処理手段と、
前記色版別の網点画像データに基づき、網点画像を出力する画像出力手段と、
を備え、
前記網点化処理手段は、
前記濃度値データが前記画素群をハイライト部分に規定している場合、第一の方向においてのみ周囲の網点と接合する方向に伸長する形状の網点を生成し、
前記濃度値データが前記画像群をシャドウ部分に規定している場合、前記第一の方向及びこれと交差する第二の方向で周囲の網点と接合する方向に伸長する形状の網点を生成すること、
を特徴とする画像出力システム。
【請求項３】
前記網点の形状における前記第一の方向は、前記第二の方向よりも先に長く伸長されること、
を特徴とする請求項２記載の画像出力システム。
【請求項４】
画像データから色版別の網点画像データを生成し、該網点画像データに基づいて網点画像を出力する画像出力システムであって、
前記画像データにＲＩＰ処理が施されていない場合には、前記各画像データにＲＩＰ処理を施して色版別のラスター画像データを生成するラスター画像生成手段と、
マトリックス状に所定の閾値データが配される色版別の網点基準データを記憶する網点基準データ記憶手段と、
前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する網点化処理手段と、
前記色版別の網点画像データに基づき、網点画像を出力する画像出力手段と、
を備え、
前記網点基準データには、
生成する網点の網％に応じて、所定の第一の伸長方向と交差する第二の伸長方向よりも先に該第一の伸長方向へ網点の形状を成長させる配列で前記閾値データが配されること、
を特徴とする画像出力システム。
【請求項５】
前記網点基準データには、
閾値データが閾値の低い順に前記第一の方向に配され、さらに該第一の方向に配された閾値データの周りを、残りの閾値データが閾値の低い順に順次覆うように配されること、
を特徴とする請求項４記載の画像出力システム。
【請求項６】
前記網点基準データには、
網％が略５０％であるときに、前記第一の方向への成長が最大に達する配列で前記閾値データが配されること、
を特徴とする請求項４に記載の画像出力システム。
【請求項７】
画像データから色版別の網点画像データを生成して、画像形成装置に対して該網点画像データに基づく画像の出力をさせる画像出力制御装置であって、
前記画像データにＲＩＰ処理が施されていない場合には、前記各画像データにＲＩＰ処理を施して色版別のラスター画像データを生成するラスター画像生成手段と、
マトリックス状に所定の閾値データが配される色版別の網点基準データを記憶する網点基準データ記憶手段と、
前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する網点化処理手段と、
前記網点画像データに出力制御情報を付加して画像形成装置に送信する送信手段と、
を備え、
前記網点化処理手段は、
前記濃度値データが前記画素群をハイライト部分に規定している場合、第一の方向においてのみ周囲の網点と接合する方向に伸長する形状の網点を生成すること、
を特徴とする画像出力制御装置。
【請求項８】
画像データから色版別の網点画像データを生成し、該網点画像データに基づいて網点画像を出力する画像出力制御装置であって、
前記画像データにＲＩＰ処理が施されていない場合には、前記各画像データにＲＩＰ処理を施して色版別のラスター画像データを生成するラスター画像生成手段と、
マトリックス状に所定の閾値データが配される色版別の網点基準データを記憶する網点基準データ記憶手段と、
前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する網点化処理手段と、
前記色版別の網点画像データに基づき、網点画像を出力する画像出力手段と、
を備え、
前記網点基準データには、
生成する網点の網％に応じて、所定の第一の伸長方向と交差する第二の伸長方向よりも先に該第一の伸長方向へ網点の形状を成長させる配列で前記閾値データが配されること、
を特徴とする画像出力制御装置。
【請求項９】
コンピュータにより構成された画像出力制御装置に対して、画像データから色版別の網点画像データを生成する処理を実行させる画像出力プログラムであって、
前記画像出力制御装置に、
予め、マトリックス状に所定の閾値データが配された色版別の網点基準データを記憶させる処理を実行させ、
前記画像データにＲＩＰ処理が施されていない場合には、前記各画像データにＲＩＰ処理を施して色版別のラスター画像データを生成する処理を実行させ、
前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する処理を実行させ、
前記網点画像データに出力制御情報を付加して画像形成装置に送信する処理を実行させ、
前記濃度値データが前記画素群を少なくともハイライト部分に規定している場合、前記網点の生成において、第一の方向においてのみ周囲の網点と接合する方向に伸長する形状の網点を生成する処理を実行させること、
を特徴とする画像出力プログラム。
【請求項１０】
コンピュータにより構成された画像出力制御装置に対して、画像データから色版別の網点画像データを生成する処理を実行させる画像出力プログラムであって、
前記画像出力制御装置に、
予めマトリックス状に所定の閾値データが配された色版別の網点基準データを記憶させる処理を実行させ、
前記画像データにＲＩＰ処理が施されていない場合には、前記各画像データにＲＩＰ処理を施して色版別のラスター画像データを生成する処理を実行させ、
前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する処理を実行させ、
前記網点基準データには、
生成する網点の網％に応じて、所定の第一の伸長方向と交差する第二の伸長方向よりも先に該第一の伸長方向へ網点の形状を成長させる配列で前記閾値データが配されること、
を特徴とする画像出力プログラム。
【手続補正２】
【補正対象書類名】明細書
【補正対象項目名】発明の名称
【補正方法】変更
【補正の内容】
【発明の名称】画像出力システム、制御装置、及び画像出力プログラム
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】変更
【補正の内容】
【００２５】
また、請求項８記載の発明は、画像データから色版別の網点画像データを生成し、該網点画像データに基づいて網点画像を出力する画像出力制御装置であって、前記画像データにＲＩＰ処理が施されていない場合には、前記各画像データにＲＩＰ処理を施して色版別のラスター画像データを生成するラスター画像生成手段と、マトリックス状に所定の閾値データが配される色版別の網点基準データを記憶する網点基準データ記憶手段と、前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する網点化処理手段と、前記色版別の網点画像データに基づき、網点画像を出力する画像出力手段と、を備え、前記網点基準データには、生成する網点の網％に応じて、所定の第一の伸長方向と交差する第二の伸長方向よりも先に該第一の伸長方向へ網点の形状を成長させる配列で前記閾値データが配されること、を特徴とする。
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】変更
【補正の内容】
【００２９】
また、請求項９記載の発明は、コンピュータにより構成された画像出力制御装置に対して、画像データから色版別の網点画像データを生成する処理を実行させる画像出力プログラムであって、前記画像出力制御装置に、予め、マトリックス状に所定の閾値データが配された色版別の網点基準データを記憶させる処理を実行させ、前記画像データにＲＩＰ処理が施されていない場合には、前記各画像データにＲＩＰ処理を施して色版別のラスター画像データを生成する処理を実行させ、前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する処理を実行させ、前記網点画像データに出力制御情報を付加して画像形成装置に送信する処理を実行させ、前記濃度値データが前記画素群を少なくともハイライト部分に規定している場合、前記網点の生成において、第一の方向においてのみ周囲の網点と接合する方向に伸長する形状の網点を生成する処理を実行させること、を特徴とする。
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】変更
【補正の内容】
【００３１】
また、請求項１０記載の発明は、コンピュータにより構成された画像出力制御装置に対して、画像データから色版別の網点画像データを生成する処理を実行させる画像出力プログラムであって、前記画像出力制御装置に、予めマトリックス状に所定の閾値データが配された色版別の網点基準データを記憶させる処理を実行させ、前記画像データにＲＩＰ処理が施されていない場合には、前記各画像データにＲＩＰ処理を施して色版別のラスター画像データを生成する処理を実行させ、前記ラスター画像データの各範囲の画素群に前記網点基準データを対応させ、該画素群を構成する画素の濃度値データと前記網点基準データの閾値データとを比較して、各画素の出力の有無を規定することで一つの網点を生成し、色版別のラスター画像データから色版別の網点画像データを生成する処理を実行させ、前記網点基準データには、生成する網点の網％に応じて、所定の第一の伸長方向と交差する第二の伸長方向よりも先に該第一の伸長方向へ網点の形状を成長させる配列で前記閾値データが配されること、を特徴とする。
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】変更
【補正の内容】
【００３３】
本発明に係る画像出力システム、制御装置、及び画像出力プログラムによれば、指向性を有する形状に網点が成長するように閾値データを配した網点基準データによって網点を生成する処理を施して、網点の形状が、第一の方向が該第一の方向と交差する第二の方向よりも先に大きく成長するので、出力される網点画像においては、個々の網点が周囲の網点と接合するその発生箇所が画像の濃度に応じて分散され、トーンジャンプの発生を抑えることができる。
【手続補正１３】
【補正対象書類名】明細書
【補正対象項目名】００３４
【補正方法】変更
【補正の内容】
【００３４】
以下、本発明に係る画像形成システム、制御装置、及び画像出力プログラムの好適な一実施形態について、図面を参照しながら具体的に説明する。